(57)【要約】【課題】  移動装置で撮像素子を制御する時のプリント配線板の動きを吸収することができる、接続ユニットを提供するものである。【解決手段】  撮像素子3を可動させて手振れを補正する移動装置6を備えるレンズユニット1の撮像素子3と、回路基板4とを接続する接続ユニットであって、撮像素子3を取り付けたプリント配線板5と、当該プリント配線板5の端部に固定されたコネクタ嵌挿部と、回路基板4に固定されたコネクタ受部とで構成され、コネクタ受部がコネクタ嵌挿部を移動可能に支持している接続ユニットである。【選択図】      図３
2007147719.tif 000002
【特許請求の範囲】
【請求項１】
撮像素子を可動させて手振れを補正する移動手段を備えるレンズユニットの撮像素子を回路基板と接続する接続ユニットであって、
撮像素子を取り付けたプリント配線板と、当該プリント配線板の端部に固定されたコネクタ嵌挿部と、前記回路基板に固定されたコネクタ受部とで構成され、前記コネクタ受部が前記コネクタ嵌挿部を移動可能に支持していることを特徴とする接続ユニット。
【請求項２】
前記コネクタ受部は、前記プリント配線板と前記回路基板とを電気的に接続する変形可能な導電部材と、当該導電部材の端部を収納する切り抜きを備えた方形板及びこの方形板から突出するアームを有する可動支持部材とを備え、
前記コネクタ嵌挿部は、前記アームに支持されて前記導電部材の先端部を支持する可動部材とされていることを特徴とする請求項１に記載の接続ユニット。
【請求項３】
前記可動支持部材は、４本の前記アームを有し、各アームの先端には内側に突出する係止部を備え、
前記可動部材は４つの側壁と底面板を備え、各々の側壁には前記係止部と係止する係止溝を有すると共に、前記底面板には前記導電部材が位置する切り抜きを備えたことを特徴とする請求項２に記載の接続ユニット。
【請求項４】
前記可動部材は対向する平行な２つの側壁の外面距離が、対応する２組の対向する前記アーム間の距離より小さく成形されており、
前記各側壁の係止溝は、前記各アーム先端の係止部が当該係止溝内で移動可能とするように前記係止部より大きく成形されていることを特徴とする請求項３に記載の接続ユニット。
【請求項５】
前記可動部材は、プリント配線板と平行な２つの側壁の外面距離が、対応する１組のアーム間の距離より小さく成形され、他の２つの側壁はアーム間距離と等しく成形されており、
前記プリント配線板には、たわみを設けていることを特徴とする請求項３に記載の接続ユニット。
【請求項６】
前記プリント配線板にたわみを有し、
前記コネクタ嵌挿部は、断面が凸型で、この凸型の凸部に前記コネクタ受部と接触する接触ピンを備えたソケットであり、
前記コネクタ受部はヘッダとされており、
当該ヘッダは、上面開口で箱形のハウジング部と、ハウジング部を保持する保持板と、前記ソケットの接触ピンを狭持するヘッダピンとを備え、当該ヘッダピンは前記ハウジング部と前記保持板とを接続するように配置されており、
前記ハウジング部は、前記プリント配線板に対して垂直方向に揺動可能状態で、前記保持板に接続していることを特徴とする請求項１に記載の接続ユニット。
【請求項７】
撮像レンズと、撮像素子と、前記撮像素子を可動させて手振れを補正する移動手段とを備えるレンズユニットと、回路基板と、当該レンズユニットと回路基板とを接続する接続ユニットと、画像処理を含む制御を行う撮影制御手段やメモリと、画像表示部とを備え、
前記接続ユニットは、撮像素子を取り付けたプリント配線板と、当該プリント配線板の端部に固定されたコネクタ嵌挿部と、回路基板に固定されたコネクタ受部とで構成され、コネクタ受部がコネクタ嵌挿部を移動可能に支持していることを特徴とするカメラ。
【請求項８】
前記コネクタ受部は、前記プリント配線板と回路基板とを電気的に接続する変形可能な導電部材と、当該導電部材の端部を収納する切り抜きを備えた方形板と当該方形板から突出するアームを有する可動支持部材とを備え、前記コネクタ嵌挿部は、前記アームに支持されて前記導電部材の先端部を支持する可動部材とされていることを特徴とする請求項７に記載のカメラ。
【請求項９】
前記可動支持部材は、４本の前記アームを有し、各アームの先端には内側に突出する係止部を備え、
前記可動部材は４つの側壁と底面板を備え、各々の側壁には前記係止部と係止する係止溝を有すると共に、前記底面板には前記導電部材が位置する切り抜きを備えたことを特徴とする請求項８に記載のカメラ。
【請求項１０】
前記プリント配線板にたわみを有し、
前記コネクタ嵌挿部は、断面が凸型であり、凸部に前記コネクタ受部と接触する接触ピンを備えたソケットであり、
前記コネクタ受部はヘッダとされており、
当該ヘッダは、上面開口で箱形のハウジング部と、ハウジング部を保持する保持板と、前記ソケットの接触ピンを狭持するヘッダピンとを備え、当該ヘッダピンは前記ハウジング部と前記保持板とを接続するように配置されており、
前記ハウジング部は、前記プリント配線板に対して垂直方向に揺動可能状態で、前記保持板に接続していることを特徴とする請求項７に記載のカメラ。
【発明の詳細な説明】
【技術分野】
【０００１】
本発明は、手振れ補正機能付きレンズユニットを回路基板に接続する接続ユニット及び当該接続ユニットを用いたカメラに関するものである。
【背景技術】
【０００２】
カメラで撮影するときに問題となることの一つとして手振れがある。この手振れとは撮影者がシャッターボタンを押すときにカメラが揺れてしまい、撮像画像がぶれてしまうことであり、近年ではカメラが小型化し、且つ、ズームの倍率が上がってきたため撮影時の振れが尚更大きくなることが問題となっていた。この手振れを防ぐために多くの開発がなされている。
【０００３】
現在主流となっている手振れ補正方法は大きく分けて２つの方法があり、一つの方法は撮像時のシャッタースピードを速くする方法であり、もう一つの方法として、撮像素子（Ｃｈａｒｇｅ  Ｃｏｕｐｌｅｄ  Ｄｅｖｉｃｅ）を手振れにあわせて可動させ手振れを補正する方法がある。
【０００４】
このような、撮像素子を可動させることで手振れを補正する方法として、例えば、特開２００５―１８４１２２号公報（特許文献１）では、手振れによる振れを検出する検出装置と、振れた量を補正するように撮像素子を移動又は回転させる移動装置とを備えた補正機能付きのカメラについて提案されている。
【０００５】
このような補正方法では、撮像素子を搭載したプリント配線板（Ｆｌｅｘｉｂｌｅ  Ｐｒｉｎｔｅｄ  Ｃｉｒｃｕｉｔ）ごと駆動するため、回路基板と柔軟性を有するプリント配線板との接続部と、撮像素子の設置部との間に、撮像素子の手振れ補正の動きを吸収するようにプリント配線板に折り畳み部を設けている。
【特許文献１】特開２００５―１８４１２２号公報
【発明の開示】
【発明が解決しようとする課題】
【０００６】
前述のように、折り畳み部でのプリント配線板の折り方は複雑なため、プリント配線板を長くする必要がある。そのため、小型化傾向に進んでいる現在のカメラでは、カメラの内部に長いプリント配線板を収納することが困難となってきており、又、柔軟性を有するプリント配線板が長いために電磁ノイズが大きくなることや、信号の劣化が大きくなる等の問題点があった。
【０００７】
本発明は、上述したような従来技術の問題点に鑑みてなされた物であり、移動装置で撮像素子を制御する時の撮像素子の動きを吸収することができる接続ユニットを提供することを目的としている。
【課題を解決するための手段】
【０００８】
本発明の接続ユニットは、撮像素子(3)を可動させて手振れを補正する移動装置(6)を備えるレンズユニットの撮像素子(3)を回路基板(4)と接続する接続ユニットであって、撮像素子(3)を取り付けたプリント配線板(5)と、当該プリント配線板(5)の端部に固定されたコネクタ嵌挿部と、回路基板(4)に固定されたコネクタ受部とで構成され、コネクタ受部がコネクタ嵌挿部を移動可能に支持しているものである。
【０００９】
又、コネクタ受部は、プリント配線板(5)と回路基板(4)とを電気的に接続する変形可能な導電部材(13)と、当該導電部材(13)の端部を収納する切り抜きを備えた方形板及びこの方形板から突出するアーム(24)を有する可動支持部材(11)とを備え、コネクタ嵌挿部は、アーム(24)に支持されて前記導電部材の先端部を支持する可動部材(12)とされているものである。
【００１０】
そして、可動支持部材(11)は、４本のアーム(24)を有し、各アーム(24)の先端には内側に突出する係止部(25)を備え、可動部材(12)は４つの側壁と底面板とを備え、各々の側壁には係止部(25)と係止する係止溝(26)を有すると共に、底面板には導電部材(13)が位置する切り抜きを備えているものである。
【００１１】
又、可動部材(12)は対向する平行な２つの側壁の外面距離が、対応する２組の対向するアーム(24)間の距離より小さく成形されて、各側壁の係止溝(26)は、各アーム(24)先端の係止部(25)が当該係止溝(26)内で移動可能とするように係止部(25)より大きく成形されているものである。
【００１２】
又は、可動部材(12)は、プリント配線板(5)と平行な２つの側壁の外面距離が、対応する１組のアーム(24)間の距離より小さく成形され、他の２つの側壁はアーム(24)間距離と等しく成形されており、プリント配線板(5)には、たわみ(27)を設けているものである。
【００１３】
更に、プリント配線板(5)にたわみ(27)を有し、コネクタ嵌挿部は、断面が凸型であり、この凸型の凸部にコネクタ受部と接触する接触ピン(43)を備えたソケット(31)であり、コネクタ受部はヘッダ(32)とされており、当該ヘッダ(32)は上面開口で箱形のハウジング部(41)と、ハウジング部(41)を保持する保持板(42)と、ソケット(31)の接触ピン(43)を狭持するヘッダピン(44)とを備え、当該ヘッダピン(44)はハウジング部(41)と保持板(42)とを接続するように配置されており、ハウジング部(41)は、プリント配線板(5)に対して垂直方向に揺動可能状態で、保持板(42)に接続していることを特徴とするものである。
【００１４】
又、本発明のカメラは、撮像レンズ(2)と、撮像素子(3)と、撮像素子(3)を可動させて手振れを補正する移動装置(5)とを備えるレンズユニット(1)と、回路基板(4)と、当該レンズユニット(1)と回路基板(4)とを接続する接続ユニットと、画像処理を含む制御を行う撮影制御手段やメモリと、画像表示部とを備え、接続ユニットは、撮像素子(3)を取り付けたプリント配線板(5)と、当該プリント配線板(5)の端部に固定されたコネクタ嵌挿部と、回路基板(4)に固定されたコネクタ受部とで構成され、コネクタ受部がコネクタ嵌挿部を移動可能に支持しているものである。
【発明の効果】
【００１５】
本発明によれば、移動装置で撮像素子を制御する時の撮像素子の動きを吸収することができる、接続ユニットを提供することができる。
【発明を実施するための最良の形態】
【００１６】
本発明を実施するための最良の形態のカメラは、撮像レンズ2と、撮像素子3と、撮像素子3を可動させて手振れを補正する移動装置6とを備えるレンズユニット1と、回路基板4と、レンズユニット1を回路基板4に接続する接続ユニットの他、画像処理を含む制御を行う撮影制御手段やメモリと、画像表示部とを備える。
【００１７】
そして、この接続ユニットは、撮像素子3を保持する柔軟性を有するプリント配線板5と、プリント配線板5と回路基板4とを接続するコネクタ7とを備える。プリント配線板5の端部には、導電部材13を接着するための第一接続パッド22を有し、回路基板4には、導電部材13を接着するための第二接続パッド23を有する。
【００１８】
又、コネクタ7は、コネクタ嵌挿部とコネクタ受部とから構成されており、コネクタ受部は、回路基板4に固定された可動支持部材11と、導電部材13とを備え、コネクタ嵌挿部は、プリント配線板5に固定され可動支持部材11と嵌合する可動部材12とされている。尚、導電部材13は可動支持部材11と可動部材12とを電気的に接続しており、変形可能である。
【００１９】
そして、可動支持部材11は、導電部材13が位置する切り抜きを備えた方形板と、方形板の各々の辺の中央近傍から垂直に成形されたアーム24と、各アーム24の先端に成形された係止部25とを備え、可動部材12は４つの側壁と底面板からなる箱形形状であり、各々の側壁には係止部25と係合する係止溝26を備え、底面板には導電部材13が位置する切り抜きを備えている。
【００２０】
又、可動部材11の底面板は、中央に導電部材13の先端部が位置する切り抜きを備え、且つ周囲が２組の対向するアーム24間の距離より小さく成形されて側壁が立設されており、側壁に設けた各々の係止溝26は、各々の係止部25が係止溝26内をスライド可能なように、係止部25より大きく成形されている。
【００２１】
本実施の最良の形態によれば、コネクタ嵌挿部がコネクタ受部に対して移動すると共に導電部材13が手振れ補正によるプリント配線板5の動きを吸収するため、プリント配線板5に手振れ補正の動きを吸収するための余裕を持たせる必要がなく、よってプリント配線板5を短くすることができる。これにより、電磁ノイズが大きくなることや、信号の劣化が大きくなるといった問題点を解決することができ、安定した撮像画像のデータを回路基板4に流すことができる。
【実施例】
【００２２】
以下、本発明の実施例を図に基づいて詳説する。本実施例のカメラは、図１に示すように、カメラ筐体101の正面に、撮像レンズ2、フラッシュ104、オートフォーカス用の光源105が配設されている。又、上面には、シャッターボタン106、電源ボタン107が配設されている。一方、デジタルカメラの裏面には、図示していないが、液晶表示板などを用いた表示部と、メニューボタン等とが適宜配設されている。
【００２３】
又、カメラ筐体101の内部には、撮影制御手段としてのマイクロコンピュータなどを有すると共に、図２、図３に示すように、レンズユニット1と、回路基板4とを有し、レンズユニット1と回路基板4とは横並びに配置されており、接続ユニットでレンズユニット1の撮像素子3と回路基板4とを接続している。
【００２４】
このレンズユニット1は、撮像レンズ2と、撮像レンズ2の光軸上に配置した撮像素子3と、撮像素子3を動かして手振れ補正を行う移動装置6とを備える。又、接続ユニットは、柔軟性を有して屈曲自在とされたフレキシブルなプリント配線板5と、コネクタ7とから構成されている。
【００２５】
そして、撮像素子3は、プリント配線板5上に半田付けして固定されており、手振れ補正のためにプリント配線板5ごと撮像素子3を移動回転運動させる移動装置6が取り付けられている。この移動装置6は、撮像時のぶれ量を検出装置で検出し、当該ぶれ量に応じて撮像素子3をフレキシブルなプリント配線板5と共に上下左右や回動方向に移動させることで撮像時の光軸のぶれを補正するものである。
【００２６】
フレキシブルなプリント配線板5は、移動装置6の手ぶれ補正の動きに合わせて屈曲する柔軟な素材で成形されており、図４、図５に示すように撮像素子3を取り付ける位置を略方形状とし、回路基板4の近傍に位置している辺の中央近傍から水平方向に接続部21が延設されている。接続部21の先端には、導電部材13と接続する第一接続パッド22が配置されている。又、接続部21の先端に、第一接続パッド22の周りを囲むようにコネクタ嵌挿部である可動部材12を取り付けるものとし、このプリント配線板5の接続部21の長さは、撮像素子3と回路基板4とを接続できる略最小限度の長さにしている。
そして、回路基板4には、導電部材13と接続する場所に、第二接続パッド23を設置している。
【００２７】
コネクタ7はコネクタ嵌挿部とコネクタ受部とから構成されており、図５、図６に示すように、コネクタ受部は、回路基板4に取り付けられている可動支持部材11と、可動支持部材11に配設される支持されて導電部材13とで形成され、コネクタ嵌挿部としてはプリント配線板5に取り付けられており可動支持部材11に嵌合する可動部材12で形成されている。
【００２８】
可動支持部材11は方形板の４辺の各辺の中央近傍にアーム24が垂直に成形されている形状であり、アーム24の先端には後述する可動部材12の係止溝26と係止する係止部25が、内側に向かって成形されている。又、可動支持部材11の方形板の中心部近傍には導電部材13を位置させて導電板の先端部を支持するための長方形の切り抜きが成形されている。
【００２９】
可動部材12は、方形状の底面板と４つの側壁とからなる箱形形状であり、４つの側壁に可動支持部材11のアーム24に成形されている係止部25と係止する方形状の係止溝26が側壁を貫通して成形されている。可動部材12の側壁の縦及び横の外面距離は、図７、図８に示すように、可動支持部材11の方形板に成形された対向する２組の各アーム24間の距離より短く成形されており、可動部材12を可動支持部材11に取り付けた時、アーム24との間に遊びができ、対向するアーム24間を可動部材12が縦又は横方向に移動可能となっている。又、可動部材12の係止溝26の大きさはアーム24の先端に成形された係止部25の大きさよりも大きく成形されており、つまり、可動部材12が手振れ補正のために移動回転運動したときに、係止溝26と係止部25はその動きにあわせて移動可能となっている。
【００３０】
そして、可動部材12の開口部側から可動支持部材11に嵌合するように組み合わせており、係止部25と係止溝26が係止している。又、可動部材12の底面部には導電部材13が位置する長方形の切り抜きが成形されており、可動支持部材11と可動部材12を組み合わせたときに可動支持部材11の切り抜きと対称の位置となる。
【００３１】
導電部材13は柔軟性のある素材で、絶縁体と導体を交互に並べるように積層した物であり、直方体形状である。そして、可動支持部材11の切り抜き部に固定されており、第一接続パッド22と第二接続パッド23に接着又は圧着するものである。又、本実施例では、第一接続パッド22及び第二接続パッド23は、夫々プリント配線板5の軸方向と交わる方向に複数の接点を並べて配置されている。
【００３２】
従って、回路基板4を垂直状態に保つようにして係止部25と係止溝26が係止した状態の時に、移動装置6により撮像素子3を補正のため動かすと、図９、図１０に示すように、可動部材12の底面の大きさが可動支持部材11の方形板に成形されたアーム24の、対向する２組のアーム24間の距離より小さく、且つ、係止溝26の大きさが係止部25の大きさより大きく成形されているため、上下左右に可動部材12が可動可能である。そして、可動部材12の動きにあわせて柔軟な導電部材13が上下左右に歪んで動きを吸収し、これによりプリント配線板5と回路基板4とは接続したままの状態で手振れ補正の動きを吸収できる。
【００３３】
本実施例によれば、ユニット7がフレキシブルなプリント配線板5の動きを吸収するため、プリント配線板5で上下左右の両方向の動きを吸収するための余裕を持たせる必要がないので、プリント配線板5を短くすることができる。これにより、電磁ノイズが大きくなることや、信号の劣化が大きくなるといった問題点を解決することができ、安定した撮像画像のデータを回路基板4に流すことができる。
【００３４】
本発明のその他の実施例としては、図１１、図１２に示すように、コネクタ7の可動を一方向とし、フレキシブルなプリント配線板5でコネクタ7の可動方向と交わる方向の動きを吸収させることもある。
【００３５】
このフレキシブルなプリント配線板5は、図１３、図１４に示すように撮像素子3を取り付ける位置を略方形状とし、回路基板4の近傍に位置している辺の中央近傍から水平方向に接続部21が延設されている。接続部21の先端には、導電部材13と接続する第一接続パッド22が配置されている。又、接続部21の先端に、第一接続パッド22の周りを囲むようにコネクタ嵌挿部である可動部材12を取り付けるものとし、このプリント配線板5の接続部21の長さは、プリント配線板5の横方向の動きを吸収できるよう長めに成形しており、当該位置にたわみ27を設けている。
【００３６】
回路基板4には、導電部材13と接続する場所に第二接続パッド23を設置している。尚、第一接続パッド2と、第二接続パッド23は、プリント配線板5の軸方向と同一方向に複数の接点を並べて配置されている。
【００３７】
そして、コネクタ7はコネクタ嵌挿部とコネクタ受部とから構成されており、コネクタ受部は、回路基板4に取り付けられている可動支持部材11と、可動支持部材11に配設された導電部材13とを備え、コネクタ嵌挿部としてはプリント配線板5に取り付けられており可動支持部材11に係止して支持する可動部材12を備えている。
【００３８】
可動支持部材11は方形板の４辺の各辺の中央近傍にアーム24が垂直に成形されている形状であり、アーム24の先端には後述する可動部材12の係止溝26と係止する係止部25が、内側に向かって成形されている。又、可動支持部材11の方形板の中心部近傍には導電部材13が位置するための長方形の切り抜きが成形されており、長軸方向をプリント配線板5の軸方向と一致させるようにしている。
【００３９】
又、可動部材12は、方形状の底面板と４つの側壁とからなる箱形形状であり、４つの側壁に可動支持部材11のアーム24に成形されている係止部25と係止する方形状の係止溝26が側壁を貫通して成形されている。可動部材12の軸方向と平行な側壁の外面距離は、可動支持部材11の方形板に成形されたアーム24の縦側の対向するアーム24間の距離より短く成形されており、可動部材12を可動支持部材11に取り付けた時、アーム24との間に遊びができ、対向するアーム24間を可動部材12が縦方向に移動可能となっている。又、横方向はアーム間と外面距離を略一致させている。そして、可動部材12の左右の側壁に成形された２つの係止溝26の大きさは、当該２つの係止溝24と係止する係止部25の大きさよりも大きく成形されており、つまり、可動部材12が手振れ補正のため移動回転運動したときに、可動部材12を上下のみ移動可能となっている。
【００４０】
係止部25と係止溝26が係止した状態の時に、移動装置6で撮像素子3を補正のため動かすと、左右の補正の動きに対しては、図１１に示すように、可動部材12は動かず、プリント配線板5が有するたわみ27で吸収し、上下の補正の動きに対しては、可動部材12の底面板とアーム24間の遊びと、係止溝26と係止部25の遊びにより、図１２、図１５に示すように、上下に可動部材12が動く。そして、可動部材12の動きにあわせて柔軟な導電部材13が左右に歪んで動きを吸収し、これによりプリント配線板5と回路基板4とは接続したままの状態で手振れ補正の動きを吸収できる。
【００４１】
本実施例によれば、導電部材13とフレキシブルなプリント配線板5との両方で移動装置6による動きを吸収するため、プリント配線板5のみで上下左右の両方向の動きを吸収するための余裕を持たせる必要がなく、プリント配線板5は左右の動きのみを吸収するたわみ27を設けるだけでいいため、プリント配線板5を短くすることができる。これにより、電磁ノイズが大きくなることや、信号の劣化が大きくなるといった問題点を解決することができ、安定した撮像画像のデータを回路基板4に流すことができる。
【００４２】
又、一方向の可動を吸収する更に別の実施例の導電部材１３について述べる。フレキシブルなプリント配線板5は、撮像素子3を取り付ける場所は略方形状であり、回路基板4の近傍に位置している辺の中央近傍から水平方向に接続部21が延設されている。このプリント配線板5の接続部21の長さは、図１６に示すように、プリント配線板5の横方向の動きを吸収できるよう長めに成形しており、当該位置にたわみ27を設けている。又、接続部21の先端には、コネクタ嵌挿部であるソケット31が接続されており、ソケット31とプリント配線板5の接続を補強する補強板33が、プリント配線板5をソケット31と補強板33で挟み込むように設置されている。そして、回路基板4にはソケット31を嵌合するためのコネクタ受部であるヘッダ32が取り付けられている。
【００４３】
ソケット31は、図１７に示すように断面が凸型であり、凸部にヘッダ32と接触する接触ピン43が多数配置されている。又、ヘッダ32は、上面開口の箱形のハウジング部41と、ハウジング部41を保持する保持板42と、ソケット31の接触ピン43を狭持するヘッダピン44とによって構成されている。ハウジング部41は、保持板42に横スライド可能状態で接続しており、ハウジング部41の幅は、保持板42の幅より小さく成形されている。よって、保持板42の中央部にハウジング部41が配置されているときはハウジング部41の底面の左右には保持板42が飛び出している状態である。
【００４４】
又、ヘッダピン44は、ハウジング部の側壁を挟むように配置されており、ヘッダピン44の一端部はハウジング部41内部の側壁と底面とで構成される角部に接続されており、多端は保持板42の側部に接続されている。
【００４５】
ヘッダ32にソケット31を挿入すると、ソケット31はヘッダ32に狭持され、接触ピン43とヘッダピン44が接触し、ソケット31側の信号をヘッダ32側に流すことが可能となる。又、ハウジング部41と保持板42は横スライド可能であるので、保持板42の幅とハウジング部41の幅の差の分ソケット31の動きをコネクタ7で吸収可能である。
【００４６】
これにより、図１８、図１９に示すように、移動装置6でプリント配線板5を動かした場合に、左右方向の動きに対してはプリント配線板5の接続部21のたわみ27により吸収し、上下方向の動きはコネクタ7で吸収することが可能となっている。
【００４７】
本実施例によれば、ヘッダ32とフレキシブルなプリント配線板5との両方で移動装置6による動きを吸収するため、プリント配線板5のみで上下左右の両方向の動きを吸収するための余裕を持たせる必要がなく、プリント配線板5は左右の動きのみを吸収するたわみ27を設けるだけでいいため、プリント配線板5を短くすることができる。これにより、電磁ノイズが大きくなることや、信号の劣化が大きくなるといった問題点を解決することができ、安定した撮像画像のデータを回路基板4に流すことができる。
又、本発明は、以上の実施例の形態に限定されるものでなく、発明の要旨を逸脱しない範囲で自由に変更、改良が可能である。
【図面の簡単な説明】
【００４８】
【図１】本発明のデジカメの斜視図。
【図２】本発明のプリント配線板と回路基板の接続の正面図。
【図３】図２のＢ−Ｂ′断面図。
【図４】本発明の実施例のプリント配線板と回路基板の接続の説明図
【図５】本発明の実施例の接続ユニットの分解図。
【図６】本発明の実施例の接続ユニットの斜視図。
【図７】図２のＢ−Ｂ′断面の拡大図。
【図８】図２のＡ−Ａ′断面の拡大図。
【図９】図２のＢ−Ｂ′断面の可動説明図。
【図１０】図２のＡ−Ａ′断面の可動説明図。
【図１１】図１３のＤ−Ｄ′断面の拡大図。
【図１２】図１３のＣ−Ｃ′断面の拡大図。
【図１３】本発明のその他の実施例のプリント配線板と回路基板の接続の説明図。
【図１４】本発明のその他の実施例のプリント配線板と回路基板の接続の正面図。
【図１５】図１３のＣ−Ｃ′断面の動作説明図。
【図１６】本発明の更に別の実施例の図１３のＤ−Ｄ′断面図。
【図１７】本発明の更に別の実施例の接続ユニットの断面図。
【図１８】本発明の更に別の実施例の接続ユニットの可動説明図。
【図１９】本発明の更に別の実施例の接続ユニットの可動説明図。
【符号の説明】
【００４９】
1  レンズユニット                          2  撮像レンズ
3  撮像素子                                4  回路基板
5  プリント配線板                          6  移動装置
7  接続ユニット                            11  可動支持部材
12  可動部材                               13  導電部材
21  接続部                                 22  第一接続パッド
23  第二接続パッド                         24  アーム
25  係止部                                 26  係止溝
27  たわみ                                 31  ソケット
32  ヘッダ                                 33  補強板
41  ハウジング部                           42  保持板
43  接触ピン                               44  ヘッダピン
101  カメラ筐体                            104  フラッシュ
105  光源                                  106  シャッターボタン
107  電源ボタン
【図１】
2007147719.tif 000003
【図２】
2007147719.tif 000004
【図３】
2007147719.tif 000005
【図４】
2007147719.tif 000006
【図５】
2007147719.tif 000007
【図６】
2007147719.tif 000008
【図７】
2007147719.tif 000009
【図８】
2007147719.tif 000010
【図９】
2007147719.tif 000011
【図１０】
2007147719.tif 000012
【図１１】
2007147719.tif 000013
【図１２】
2007147719.tif 000014
【図１３】
2007147719.tif 000015
【図１４】
2007147719.tif 000016
【図１５】
2007147719.tif 000017
【図１６】
2007147719.tif 000018
【図１７】
2007147719.tif 000019
【図１８】
2007147719.tif 000020
【図１９】
2007147719.tif 000021